(57)【要約】【課題】熱供給プラントの運転停止後、その運転が再開された時に、需要家の受入設備側に供給される熱媒体の温度を適正温度に保持する。【解決手段】  本発明は、熱媒体の熱源設備８，２０を備えた複数の熱供給プラント１，２と需要家Ｘ，Ｙの受入設備３，４とが、地域熱循環設備５を介して接続されて構成された地域熱供給システムであって、熱供給プラント１，２には、熱源設備８，２０を迂回するようにバイパス配管１２，２４が設けられ、バイパス配管１２，２４には制御弁１３，２５が設けられ、制御弁１３，２５は、熱源設備８，２０の停止中に開放可能なように構成されていることを特徴とする。【選択図】  図１
2007113843.tif 000002
【特許請求の範囲】
【請求項１】
熱媒体の熱源設備を備えた複数の熱供給プラントと需要家の受入設備とが、地域熱循環設備を介して接続されて構成された地域熱供給システムであって、
前記熱供給プラントには、前記熱源設備を迂回するようにバイパス配管が設けられ、該バイパス配管には制御弁が設けられ、該制御弁は、前記熱源設備の停止中に開放可能なように構成されていることを特徴とする地域熱供給システム。
【請求項２】
前記バイパス配管及び前記制御弁は、前記各熱供給プラントにそれぞれ１箇所ずつ設けられている請求項１に記載の地域熱供給システム。
【請求項３】
前記熱供給プラント内を流通する熱媒体の温度を計測する温度計測手段が設けられており、前記制御弁は、前記温度計測手段による前記熱媒体の温度の計測結果に基づき、開閉可能なように構成されている請求項１又は２に記載の地域熱供給システム。
【請求項４】
前記熱供給プラントの停止条件と連動して予め設定した時間に作動するタイマーが設けられており、前記制御弁は、前記タイマーの作動に基づき、開閉可能なように構成されている請求項１から３のいずれか１の請求項に記載の地域熱供給システム。
【発明の詳細な説明】
【技術分野】
【０００１】
本発明は、熱供給プラントと需要家の受入設備とを地域熱循環設備により接続して構成される地域熱供給システムに関し、特に、複数の熱供給プラントを備えた地域熱供給システムに関する。
【背景技術】
【０００２】
近年、商業施設やマンション等の各ビル群が設置される地域において、ビル毎にそれぞれ個別に冷凍機やボイラ等の冷暖房や給湯用の熱源設備を設置する代わりに、これらのビル群を含む地域全体に対する熱源設備として、特定の場所に熱供給プラントを設置し、該熱供給プラントから各ビルの受入設備に対して、冷水や温水等の熱媒体を供給する地域熱供給システムが注目されている。
【０００３】
この従来の地域熱供給システムの一例として、複数の熱供給プラントが連系して接続されたものがあり、この種の地域熱供給システムでは、各熱供給プラントに、それぞれ、冷凍機やボイラ等の熱源設備や圧送ポンプ等の圧送設備が設けられ、各熱供給プラント同士は、地域熱循環設備を介して、接続されている。
【０００４】
そして、このような構成を備えた地域熱供給システムにおいて、各熱供給プラントからは、需要家の受入設備側の負荷に応じて、所要流量の熱媒体が、地域熱循環設備を介して、各需要家の受入設備にそれぞれ供給されるようになっている（例えば、特許文献１参照）。
【特許文献１】特開２００１−１５３３８１号公報
【発明の開示】
【発明が解決しようとする課題】
【０００５】
しかしながら、上記した従来の地域熱供給システムでは、その運転条件によっては低負荷時等に、一部の熱供給プラントにおいて熱源装置をまったく運転しない状態が発生することがある。このような場合、熱源設備が停止した熱供給プラントでは、熱源設備や配管系内の保有水の温度が熱損失により上昇或いは下降するため、熱供給プラントの運転再開時に、この保有水が地域熱循環設備を介して需要家の受入設備に供給されると、該受入設備側の熱媒体の温度が所要温度より上昇或いは下降してしまい、熱供給規定（条件）を満足できないといった問題があった。
【０００６】
本発明は、上記した課題を解決すべくなされたものであり、熱供給プラントの運転停止後、その運転が再開された時に、需要家の受入設備側に供給される熱媒体の温度を適正温度に保持することのできる地域熱供給システムを提供することを目的とする。
【課題を解決するための手段】
【０００７】
上記目的を達成するため、本発明は、熱媒体の熱源設備を備えた複数の熱供給プラントと需要家の受入設備とが、地域熱循環設備を介して接続されて構成された地域熱供給システムであって、前記熱供給プラントには、前記熱源設備を迂回するようにバイパス配管が設けられ、該バイパス配管には制御弁が設けられ、該制御弁は、前記熱源設備の停止中に開放可能なように構成されていることを特徴とする。
【０００８】
さらに、前記バイパス配管及び前記制御弁は、前記各熱供給プラントにそれぞれ１箇所ずつ設けられている。
【０００９】
また、本発明の地域熱供給システムには、前記熱供給プラント内を流通する熱媒体の温度を計測する温度計測手段が設けられており、前記制御弁は、前記温度計測手段による前記熱媒体の温度の計測結果に基づき、開閉可能なように構成されていてもよい。
【００１０】
また、本発明の地域熱供給システムには、前記熱供給プラントの停止条件と連動して予め設定した時間に作動するタイマーが設けられており、前記制御弁は、前記タイマーの作動に基づき、開閉可能なように構成されていてもよい。
【発明の効果】
【００１１】
本発明に係る地域熱供給システムによれば、一部の熱供給プラントが運転を停止しても、熱媒体は、バイパス配管を通って、停止中の熱供給プラント内を循環するようになっているため、停止していた熱供給プラントの運転再開時に、その保有水がシステム内に流入しても、システム内において、熱媒体の温度の上昇或いは下降を抑制することができ、熱媒体の温度を適正温度に保持することができる。したがって、熱供給規定（条件）を満足できないといった問題の発生を防止することができ、システムの信頼性の向上を図ることができる等、種々の優れた効果を得ることができる。
【発明を実施するための最良の形態】
【００１２】
以下、図面を参照しつつ、本発明の実施の形態に係る地域熱供給システムについて説明する。ここで、図１は、本発明の実施の形態に係る地域熱供給システムの構成を示すシステム図である。なお、以下の説明では、熱媒体として冷水を使用した場合について例示して説明する。
【００１３】
本実施の形態に係る地域熱供給システムは、第１熱供給プラント１及び第２熱供給プラント２と、複数の需要家Ｘ，Ｙの受入設備３，４とが、地域熱循環設備５により、連系して接続されて構成されている。
【００１４】
第１熱供給プラント１には、冷凍機８（１〜複数台）、冷水圧送ポンプ９（１〜複数台）、流量調整弁１０が順次直列に接続される熱源配管１１と、熱源配管１１を迂回するように往路配管１４と還路配管１５との間に接続されるバイパス配管１２とが設けられている。そして、バイパス配管１２には、制御弁１３が設けられており、この制御弁１３は、第１熱供給プラント１の停止条件と連動して冷凍機８（１〜複数台）の停止中に開放され、その運転中は閉塞されるように制御される。
【００１５】
また、第１熱供給プラント１には、往路配管１４と還路配管１５との間に差圧調整配管１６が分岐して接続されている。この差圧調整配管１６には、差圧調整弁１７が設けられていると共に、往路配管１４と還路配管１５間の差圧を検出するため、差圧検出器１８が設けられており、この差圧検出器１８により検出された差圧に基づき、差圧調整弁１７の開度が制御されるようになっている。
【００１６】
さらに、差圧調整配管１６の還路配管１５側には、加圧装置として、加圧タンク１９が接続されており、この加圧タンク１９により、冷水圧送ポンプ９（１〜複数台）の稼動中に配管系内が飽和圧力以下になるのを防止できるようになっている。なお、加圧装置としては、この加圧タンク１９に限定されるものではなく、例えば、静水頭加圧法等、他の装置を使用することもできる。
【００１７】
一方、第２熱供給プラント２には、上記した第１熱供給プラント１の場合と同様に、冷凍機２０、冷水圧送ポンプ２１、流量調整弁２２が順次、熱源配管２３に接続されていると共に、バイパス配管２４に制御弁２５が設けられている。また、往路配管２６と還路配管２７との間に分岐接続された差圧調整配管２８には、差圧調整弁２９及び差圧検出器３１がそれぞれ設けられ、還路配管２７には加圧タンク３０が設けられている。
【００１８】
なお、上記したバイパス配管１２，２４及び制御弁１３，２５は、各熱供給プラント１，２にそれぞれ１箇所ずつ設けられている。
【００１９】
地域熱循環設備５には、往路系統６と還路系統７が設けられており、往路系統６は、第１及び第２熱供給プラント１，２の各往路配管１４，２６にそれぞれ接続され、還路系統７は、第１及び第２熱供給プラント１，２の各還路配管１５，２７にそれぞれ接続されている。これにより、各需要家設備Ｘ，Ｙの受入設備３，４には、第１熱供給プラント１と第２熱供給プラント２のいずれの熱供給プラントからも冷水を供給可能となっている。
【００２０】
次に、図２及び図３を参照しつつ、本発明の実施の形態に係る地域熱供給システムの作用について説明する。ここで、図２は、本発明の実施の形態に係る地域熱供給システムにおいて、両方の熱供給プラント１，２が運転中の場合の作用を示すシステム図、図３は、一方の熱供給プラント２が停止中の場合の作用を示すシステム図である。
【００２１】
先ず、図２に示すように、第１及び第２熱供給プラント１，２において冷凍機８，２０（いずれも１〜複数台）がそれぞれ運転されている場合、各熱供給プラント１，２では、その運転信号を受けて、冷水圧送ポンプ９，２１（いずれも１〜複数台）が運転されると共に流量調整弁１０，２２が開放され、制御弁１３，２５が閉塞される。これにより、各熱供給プラント１，２において、冷水は、それぞれ熱源配管１１，２３を流通するようになる。
【００２２】
この時、第１熱供給プラント１では、差圧検出器１８により往路配管１４と還路配管１５間の差圧が検出され、その検出信号を受けて、差圧調整弁１７の開度が制御されると共に、第２熱供給プラント２では、差圧検出器３１により往路配管２６と還路配管２７間の差圧が検出され、その検出信号を受けて、差圧調整弁２９の開度が制御される。これにより、各熱源配管１１，２３を流通した冷水は、それぞれ往路配管１４，２６に流入後、所定熱量分の流量が地域熱循環設備５の往路系統６に流入し、その残部は各差圧調整配管１６，２８を通って還路配管１５，２７に還流する。
【００２３】
そして、地域熱循環設備５の往路系統６に流入した冷水は、各需要家Ｘ，Ｙの受入設備３，４に供給され、例えば、需要家設備Ｘには、第１熱供給プラント１側から所要流量の冷水が供給され、需要家設備Ｙには、第１及び第２熱供給プラント１，２の両方の熱供給プラントからそれぞれ所要流量の冷水が合流して供給される。
【００２４】
その後、需要家設備Ｘに供給された冷水は、還路系統７を通って、第１熱供給プラント１に還流すると共に、需要家設備Ｙに供給された冷水は、還路系統７を通って、第１熱供給プラント１及び第２熱供給プラント２に還流し、これにより、冷水は地域熱供給システム内を循環する。
【００２５】
次に、図３に示すように、前記地域熱供給システムの運転条件に基づき、例えば、低負荷時に、第２熱供給プラント２の冷凍機２０（１〜複数台）が停止されると、第２熱供給プラント２では、その停止信号を受けて、冷水圧送ポンプ２１（１〜複数台）が停止されると共に流量調整弁２２が閉塞され、制御弁２５が開放される。一方、第１熱供給プラント１では、制御弁１３が閉塞された状態に保持され、冷水は、引き続き、熱源配管１１を流通する。この時、第１熱供給プラント１では、差圧検出器１８により往路配管１４と還路配管１５間の差圧が検出され、その検出信号を受けて、差圧調整弁１７の開度が制御されると共に、第２熱供給プラント２では、差圧検出器３１により往路配管２６と還路配管２７間の差圧が検出され、その検出信号を受けて、差圧調整弁２９の開度が制御される。
【００２６】
そして、第１熱供給プラント１において熱源配管１１を流通した冷水は、往路配管１４に流入後、所定熱量分の流量が地域熱循環設備５の往路系統６に流入し、その残部は差圧調整配管１６を通って還路配管１５に還流する。
【００２７】
次いで、第１熱供給プラント１から地域熱循環設備５の往路系統６に流入した冷水のうち所要流量分の冷水は、各需要家Ｘ，Ｙの受入設備３，４にそれぞれ供給され、残りの冷水は、往路系統６から第２熱供給プラント２の往路配管２６に流入する。第２熱供給プラント２の往路配管２６に流入した冷水のさらに所定流量分は、バイパス管２４を流通し、その残りの冷水は差圧調整配管２８を流通する。その後、両方の経路を流通した冷水は、還路配管２７において、再度合流し、地域熱循環設備５の還路系統７に還流し、各需要家Ｘ，Ｙの受入設備３，４から還流した冷水と合流した後、還路系統７を通って、第１熱供給プラント１に還流し、これにより、冷水は地域熱供給システム内を循環する。
【００２８】
その後、需要家Ｘ，Ｙの負荷が増加し、第２熱供給プラント２の冷凍機２０（１〜複数台）の運転が再開されると、第２熱供給プラント２では、その運転信号を受けて、冷水圧送ポンプ２１（１〜複数台）が運転されると共に流量調整弁２２が開放され、制御弁２５が閉塞され、これにより、冷凍機２０（１〜複数台）、冷水圧送ポンプ２１（１〜複数台）、及び熱源配管２３内の保有水が往路配管２６内に流入する。
【００２９】
この場合、上記したように、第２熱供給プラント２では、冷凍機２０（１〜複数台）の停止中でも、冷水が、バイパス配管２４を通って、往路配管２６及び還路配管２７内を循環しており、冷水の温度を所定温度以下に保持しているため、第２熱供給プラント２の運転が再開された時に冷凍機２０や熱源配管２３等の保有水が往路配管２６内に流入しても、冷水の温度上昇を抑制することができる。
【００３０】
なお、上記実施の形態において、制御弁１３，２５は、熱供給プラントの停止条件と連動して冷凍機８（１〜複数台）、冷凍機２０（１〜複数台）の停止信号を受けて、開放されるようになっているが、これは単なる例示に過ぎず、制御弁１３，２５の開閉制御については各種変更が可能である。具体的には、例えば、各熱供給プラント１，２内に冷水の温度を計測する温度計測手段を設け、いずれか一方の熱供給プラント１，２の運転停止中に前記温度計測手段による冷水温度の計測値が、予め設定された所定温度より高くなった場合に制御弁１３，２５を開放し、それより低い場合には制御弁１３，２５を閉塞するように制御したり、或いは、熱供給プラントの停止条件と連動して予め設定した時間に作動するタイマーを設け、いずれか一方の熱供給プラント１，２の運転停止中、前記タイマーの作動に基づき、制御弁１３,２５を開閉するように制御したり、或いは、遠方から制御弁１３,２５を開閉操作するようにしたり、或いは、上記した各制御方法を組合せて制御弁１３，２５を制御したりすることができる。
【００３１】
また、熱供給プラント１，２内の保有水の量が比較的少ない場合には、差圧調整弁１７，２９に、上記した制御弁１３，２５の機能を持たせることもでき、その場合には、制御弁１３，２５及びバイパス配管１２，２４を省略することができるため、システムの簡素化を一段と図ることが可能となる。
【００３２】
さらに、上記実施の形態では、熱媒体として冷水を使用した場合について説明したが、本発明は、温水や高温水等、他の熱媒体を使用するシステムにおいても適用可能である。
【００３３】
さらにまた、本発明は、上記したように、第１熱供給プラント１と第２熱供給プラント２とが連系して接続されている場合においての適用に限定されるものではなく、３つ以上の熱供給プラントが連系して接続されている場合にも適用可能であることは言う迄もない。
【図面の簡単な説明】
【００３４】
【図１】本発明の実施の形態に係る地域熱供給システムの構成を示すシステム図である。
【図２】本発明の実施の形態に係る地域熱供給システムの作用を示すシステム図である。
【図３】本発明の実施の形態に係る地域熱供給システムの作用を示すシステム図である。
【符号の説明】
【００３５】
１          第１熱供給プラント
２          第２熱供給プラント
３          需要家Ｘの受入設備
４          需要家Ｙの受入設備
８          冷凍機（１〜複数台）
１２        バイパス配管
１３        制御弁
２０        冷凍機（１〜複数台）
２４        バイパス配管
２５        制御弁
【図１】
2007113843.tif 000003
【図２】
2007113843.tif 000004
【図３】
2007113843.tif 000005